(57)【要約】  無線ネットワーク・アクセス・デバイスはＵＳＢコネクタを含み、ＵＳＢコネクタは、基板、ＵＳＢ信号ピン、加入者カード搭載部および加入者カードデータ信号ピンを含み、ＵＳＢ信号ピンは基板の上部に配置され、ＵＳＢ信号ピンは、ＵＳＢ信号を送信するために、第１の回路基板に電子的に接続され、加入者カード搭載部は、加入者カードを搭載するために、基板の底部に配置され、加入者カードデータ信号ピンは加入者カード搭載部内に配置され、加入者カードデータ信号ピンは第１の回路基板に電子的に接続され、加入者カードが搭載部内に搭載されるとき、加入者カードデータ信号ピンを使用して加入者カードと第１の回路基板の間の加入者カードデータ信号の送信が実現される。本発明は無線ネットワーク・アクセス・デバイスの小型化の目的を達成し、無線ネットワーク・アクセス・デバイス内で発生した熱によって引き起こされる加入者カードへの影響を減少させる。
2016506057.tif 000002
【特許請求の範囲】
【請求項１】
ＵＳＢコネクタであって、第１の回路基板に信号を送信するために、電子デバイスの本体部の前記第１の回路基板に接続するように構成され、前記ＵＳＢコネクタは、基板と、ＵＳＢ信号ピンと、加入者カード搭載部と、加入者カードデータ信号ピンとを備え、前記ＵＳＢ信号ピンは前記基板の上部に配置され、前記ＵＳＢ信号ピンは、ＵＳＢ信号を送信するために、前記第１の回路基板に電子的に接続され、前記加入者カード搭載部は、加入者カードを搭載するために、前記基板の底部に配置され、前記加入者カードデータ信号ピンは前記加入者カード搭載部内に配置され、前記加入者カードデータ信号ピンは、前記加入者カードが前記搭載部内に搭載されるとき、前記加入者カードデータ信号ピンを使用することによって前記加入者カードと前記第１の回路基板との間の加入者カードデータ信号の送信が実現されるように、前記第１の回路基板に電子的に接続される、ＵＳＢコネクタ。
【請求項２】
前記加入者カード搭載部は溝であり、前記溝は前記基板の底部から内側に形成された凹形であり、前記加入者カードが前記溝内に搭載されるとき、前記加入者カードのデータ信号ピンは、前記溝内の加入者カードデータ信号ピンに電子的に接続される、請求項１に記載のＵＳＢコネクタ。
【請求項３】
前記加入者カードデータ信号ピンは導電性のばねであり、前記加入者カードが前記溝内に搭載されるとき、前記導電性のばねは、前記加入者カードに電子的に接続するために、前記加入者カードのデータ信号ピンに対して圧迫する、請求項２に記載のＵＳＢコネクタ。
【請求項４】
前記加入者カード搭載部は加入者カードホルダーであり、前記加入者カードホルダーは、前記加入者カードが、前記加入者カードホルダーおよび前記基板を使用することによって前記第１の回路基板に加入者カードデータを送信するように、前記基板を使用することによって前記第１の回路基板に電子的に接続された、請求項１に記載のＵＳＢコネクタ。
【請求項５】
前記基板は、前記第１の回路基板から延びる第２の回路基板であり、前記加入者カードホルダーは、前記第２の回路基板の底部に固定され、前記第２の回路基板に電子的に接続された、請求項４に記載のＵＳＢコネクタ。
【請求項６】
前記ＵＳＢコネクタは第１の筐体をさらに備え、前記第１の筐体は、前記加入者カードが前記加入者カード搭載部内に搭載されるとき、前記加入者カードの位置決めを助けるために、前記基板の底部および両側を覆う、請求項１から５のいずれか一項に記載のＵＳＢコネクタ。
【請求項７】
前記第１の筐体には間隙が設けられ、前記加入者カードが前記加入者カード搭載部内に搭載されるとき、前記加入者カードの一部は前記間隙に対応し、前記加入者カードは、前記間隙に対応する前記加入者カードの一部を引き出すことによって、前記加入者カード搭載部から引き出される、請求項６に記載のＵＳＢコネクタ。
【請求項８】
前記第１の筐体には駆動部がさらに設けられ、前記加入者カードが前記加入者カード搭載部内に搭載されるとき、前記加入者カードの一部は前記駆動部に対応し、前記駆動部は、前記加入者カード搭載部から前記加入者カードをはずすために、前記駆動部に対応する前記加入者カードの一部を駆動する、請求項６または７に記載のＵＳＢコネクタ。
【請求項９】
前記ＵＳＢコネクタは第２の筐体をさらに備え、前記第２の筐体は、前記基板の上部を覆い、前記基板の上部および前記第２の筐体によって囲まれた収容エリアを形成する、請求項１から８のいずれか一項に記載のＵＳＢコネクタ。
【請求項１０】
前記ＵＳＢ信号ピンは、前記第１の回路基板に接続するために、前記ＵＳＢコネクタの接合部の外へ延びてＵＳＢ信号溶接ピンを形成し、前記加入者カードデータ信号ピンは、前記第１の回路基板に接続するために、前記ＵＳＢコネクタの接合部の外へ延びて加入者カードデータ信号溶接ピンを形成し、前記ＵＳＢ信号溶接ピンおよび前記加入者カードデータ信号溶接ピンは、同じ水平面内に配置されるか、または２つの列内に配置された、請求項１から９のいずれか一項に記載のＵＳＢコネクタ。
【請求項１１】
本体部および請求項１から１０のいずれか一項に記載のＵＳＢコネクタを備え、前記ＵＳＢコネクタは前記本体部の端部に配置された、無線ネットワーク・アクセス・デバイス。
【発明の詳細な説明】
【技術分野】
【０００１】
本発明は、通信の分野、特に、ＵＳＢコネクタおよび無線ネットワーク・アクセス・デバイスに関する。
【０００２】
本願は、２０１３年６月９日に中国特許庁に出願され、発明の名称を「ＵＳＢコネクタおよび無線ネットワーク・アクセス・デバイス」とする、中国特許出願第201310231241.2号の優先権を主張し、その全体が参照によりここに組み込まれる。
【背景技術】
【０００３】
現在、ＵＳＢ（universal serial bus, ユニバーサル・シリアル・バス）インタフェースは、パーソナルコンピュータ（デスクトップコンピュータおよびポータブルコンピュータ）のための一般的な標準構成になり、外部デバイスへの接続のために最も一般的なインタフェースでもある。無線ＷＡＮカードのような無線ネットワーク・アクセス・デバイスは、パーソナルコンピュータに、特にポータブルパーソナルコンピュータと無線ネットワークの間の接続に、広く適用されてきた。無線ＷＡＮカードは、ＳＩＭカードまたはＵＳＩＭカードのような加入者カードを含み、無線で２Ｇ／３Ｇ／４Ｇネットワークにアクセスする。コンピュータは、インターネットにアクセスし、ウェブページの閲覧のようなインターネットサーフィン機能およびコンピュータ上での電子メールの送信および受信を実現するために、ＵＳＢなどの手段によって無線ＷＡＮカードに接続されることが可能であり、それによって、加入者の移動オフィスの要求条件を満たす。加入者カードホルダーおよび無線ＷＡＮカードの加入者カードは、無線ＷＡＮカード内の回路基板上に配置される必要があるので、いくらかのスペースが占められ、無線ＷＡＮカードの小型化に有益でない。
【発明の概要】
【課題を解決するための手段】
【０００４】
無線ネットワーク・アクセス・デバイスのサイズを減少させ、無線ネットワーク・アクセス・デバイスの小型化の目的を達成するために、ＵＳＢコネクタおよび無線ネットワーク・アクセス・デバイスが提供される
【０００５】
第１の態様によれば、ＵＳＢコネクタが提供され、第１の回路基板に信号を送信するために、電子デバイスの本体部の前記第１の回路基板に接続するように構成され、前記ＵＳＢコネクタは、基板と、ＵＳＢ信号ピンと、加入者カード搭載部と、加入者カードデータ信号ピンとを含み、前記ＵＳＢ信号ピンは前記基板の上部に配置され、前記ＵＳＢ信号ピンは、ＵＳＢ信号を送信するために、前記第１の回路基板に電子的に接続され、前記加入者カード搭載部は、加入者カードを搭載するために、前記基板の底部に配置され、前記加入者カードデータ信号ピンは前記加入者カード搭載部内に配置され、前記加入者カードデータ信号ピンは、前記加入者カードが前記搭載部内に搭載されるとき、前記加入者カードデータ信号ピンを使用することによって前記加入者カードと前記第１の回路基板との間の加入者カードデータ信号の送信が実現されるように、前記第１の回路基板に電子的に接続される。
【０００６】
第１の態様の第１の可能な実現形態において、前記加入者カード搭載部は溝であり、前記溝は前記基板の底部から内側に形成された凹形であり、前記加入者カードが前記溝内に搭載されるとき、前記加入者カードのデータ信号ピンは、前記溝内の加入者カードデータ信号ピンに電子的に接続される。
【０００７】
第１の態様の第１の可能な実現形態を参照して、第２の可能な実現形態において、前記加入者カードデータ信号ピンは導電性のばねであり、前記加入者カードが前記溝内に搭載されるとき、前記導電性のばねは、前記加入者カードに電子的に接続するために、前記加入者カードのデータ信号ピンに対して圧迫する。
【０００８】
第１の態様の第３の可能な実現形態において、前記加入者カード搭載部は加入者カードホルダーであり、前記加入者カードホルダーは、前記加入者カードが、前記加入者カードホルダーおよび前記基板を使用することによって前記第１の回路基板に加入者カードデータを送信するように、前記基板を使用することによって前記第１の回路基板に電子的に接続される。
【０００９】
第１の態様の第３の可能な実現形態を参照して、第４の可能な実現形態において、前記基板は、前記第１の回路基板から延びる第２の回路基板であり、前記加入者カードホルダーは、前記第２の回路基板の底部に固定され、前記第２の回路基板に電子的に接続される。
【００１０】
第１の態様または第１の態様の第１から第４の可能な実現形態のいずれか一つを参照して、第５の可能な実現形態において、前記ＵＳＢコネクタは第１の筐体をさらに含み、前記第１の筐体は、前記加入者カードが前記加入者カード搭載部内に搭載されるとき、前記加入者カードの位置決めを助けるために、前記基板の底部および両側を覆う。
【００１１】
第１の態様の第５の可能な実現形態を参照して、第６の可能な実現形態において、前記第１の筐体には間隙が設けられ、前記加入者カードが前記加入者カード搭載部内に搭載されるとき、前記加入者カードの一部は前記間隙に対応し、前記加入者カードは、前記間隙に対応する前記加入者カードの一部を引き出すことによって、前記加入者カード搭載部から引き出される。
【００１２】
第１の態様の第５または第６の可能な実現形態を参照して、第７の可能な実現形態において、前記第１の筐体には駆動部がさらに設けられ、前記加入者カードが前記加入者カード搭載部内に搭載されるとき、前記加入者カードの一部は前記駆動部に対応し、前記駆動部は、前記加入者カード搭載部から前記加入者カードをはずすために、前記駆動部に対応する前記加入者カードの一部を駆動する。
【００１３】
第１の態様または第１の態様の第１から第７の可能な実現形態のいずれか一つを参照して、第８の可能な実現形態において、前記ＵＳＢコネクタは第２の筐体をさらに備え、前記第２の筐体は、前記基板の上部を覆い、前記基板の上部および前記第２の筐体によって囲まれた収容エリアを形成する。
【００１４】
第１の態様または第１の態様の第１から第８の可能な実現形態のいずれか一つを参照して、第９の可能な実現形態において、前記ＵＳＢ信号ピンは、前記第１の回路基板に接続するために、前記ＵＳＢコネクタの接合部の外へ延びてＵＳＢ信号溶接ピンを形成し、前記加入者カードデータ信号ピンは、前記第１の回路基板に接続するために、前記ＵＳＢコネクタの接合部の外へ延びて加入者カードデータ信号溶接ピンを形成し、前記ＵＳＢ信号溶接ピンおよび前記加入者カードデータ信号溶接ピンは、同じ水平面内に配置されるか、または２つの列内に配置される。
【００１５】
第２の態様によれば、無線ネットワーク・アクセス・デバイスが提供され、前記デバイスは本体部および前述した第１の態様および全ての可能な実現形態によるＵＳＢコネクタを含み、前記ＵＳＢコネクタは前記本体部の端部に配置される。
【００１６】
無線ネットワーク・アクセス・デバイスが各種の実現形態に従って提供され、ここで、無線ネットワーク・アクセス・デバイスはＵＳＢコネクタおよび本体部を含む。ＵＳＢコネクタは、基板、ＵＳＢ信号ピン、加入者カード搭載部、および加入者カードデータ信号ピンを含み、ここで、ＵＳＢ信号ピンは基板の上部に配置され、ＵＳＢ信号ピンは、ＵＳＢ信号を送信するために、第１の回路基板に電子的に接続され、加入者カード搭載部は、加入者カードを搭載するために、基板の底部に配置され、加入者カードデータ信号ピンは加入者カード搭載部内に配置され、加入者カードデータ信号ピンは第１の回路基板に電子的に接続され、その結果、加入者カードが搭載部内に搭載されるとき、加入者カードデータ信号ピンを使用することによって加入者カードと第１の回路基板の間の加入者カードデータ信号の送信が実現される。従って、加入者カードは本体部内ではなくＵＳＢコネクタ内に搭載され、その結果、本体部のスペースが節約され、それによって、無線ネットワーク・アクセス・デバイスのサイズを減少させ、無線ネットワーク・アクセス・デバイスの小型化の目的を実現し、無線ネットワーク・アクセス内で発生した熱によって引き起こされる加入者カードへの影響を減少させる。
【００１７】
本発明の実施例におけるまたは先行技術における技術的解決手段をより明確に説明するため、以下は実施例または先行技術を説明するために必要な添付図面を簡単に導入する。明らかに、以下の説明における添付図面は、本発明のほんのいくつかの実施例を表わし、この技術分野の当業者は創作的な努力なしでこれらの添付図面からさらに他の図面を導き出し得る。
【図面の簡単な説明】
【００１８】
【図１】無線ネットワーク・アクセス・デバイスが通信端末に接続される前の状態の図式的な図である。
【図２】加入者カードが搭載された無線ネットワーク・アクセス・デバイスの図式的な図である。
【図３】無線ネットワーク・アクセス・デバイスの縦の断面の図式的な図である。
【図４】ＵＳＢコネクタが第１の回路基板に接続されるときの図式的な図である。
【図５】ＵＳＢコネクタの縦の断面の図式的な図である。
【図６】無線ネットワーク・アクセス・デバイスのＵＳＢコネクタの縦の断面の図式的な図である。
【図７】加入者カードが搭載されたＵＳＢコネクタの縦の断面の図式的な図である。
【図８】ＵＳＢコネクタの図式的な平面図である。
【図９】ＵＳＢコネクタの第１の図式的な断面図である。
【図１０】ＵＳＢコネクタの第２の図式的な断面図である。
【発明を実施するための形態】
【００１９】
以下は、本発明の実施例における添付図面を参照して、本発明の実施例における技術的解決手段を明確かつ十分に説明する。明らかに、説明される実施例は本発明の実施例の全てではなくほんのいくつかである。創作的な努力なしで本発明の実施例に基づいてこの技術分野の当業者によって得られる他の全ての実施例は、本発明の保護範囲内にある。
【００２０】
図１および図２を参照すると、本発明の第１の実現形態は無線ネットワーク・アクセス・デバイス１００を提供する。無線ネットワーク・アクセス・デバイス１００は、通信端末２００と通信するために、通信端末２００に接続するように構成される。本発明は、ＵＳＢコネクタが搭載され、加入者カードを読み取ることが可能なあらゆる電子デバイスに適用可能であることに注意すべきである。本発明は、説明のために、特定の電子デバイス、つまり、無線ネットワーク・アクセス・デバイスを使用するが、これは、無線ネットワーク・アクセス・デバイス以外の電子デバイスへの本発明の適用に何も限定を与えない。
【００２１】
無線ネットワーク・アクセス・デバイス１００は本体部２１およびＵＳＢ（universal serial bus, ユニバーサル・シリアル・バス）コネクタ２２を含む。第１の回路基板２１１は本体部内に配置される。ＵＳＢコネクタ２２は無線ネットワーク・アクセス・デバイス１００の本体部２１の第１の回路基板２１１に接続するように構成される。ＵＳＢコネクタ２２は本体部２１の端部に配置される。ＵＳＢコネクタ２２は、第１の回路基板２１１に信号を送信するために、第１の回路基板２１１に接続される。もう１つの実現形態において、ＵＳＢコネクタ２２は、第１の回路基板に信号を送信するために、他の電子デバイスの本体部の第１の回路基板に接続するようにさらに構成され得る。
【００２２】
図３および図４を参照すると、ＵＳＢコネクタ２２は、基板２２１、ＵＳＢ信号ピン２２３、加入者カード搭載部２２５、および加入者カードデータ信号ピン２２６を含む。ＵＳＢ信号ピン２２３は基板２２１の上部２２２に配置される。ＵＳＢ信号ピン２２３は、ＵＳＢ信号を送信するために、第１の回路基板２１１に電子的に接続される。加入者カード搭載部２２５は、加入者カード３００を搭載するために、基板２２１の底部２２４に配置される。上部および底部は互いに反対側に配置される。加入者カードデータ信号ピン２２６は加入者カード搭載部２２５内に配置される。加入者データ信号ピン２２６は第１の回路基板２１１に電子的に接続され、その結果、加入者カード３００が加入者カード搭載部２２５内に搭載されるとき、加入者カードデータ信号ピン２２６を使用することによって加入者カード３００と第１の回路基板２１１の間の加入者カードデータ信号の送信が実現される。この実現形態において、基板２２１はプラスチック本体である。任意選択で、基板２２１は、また、第１の回路基板２１１から延びる回路基板であり得る。
【００２３】
第１の回路基板２１１には、予め設置されたＵＳＢ信号ピン２１２および予め設置された加入者カードデータ信号ピン２１３が設けられる。ＵＳＢコネクタ２２のＵＳＢ信号ピン２２３は、ＵＳＢ信号を送信するために、予め設置されたＵＳＢ信号ピン２１２に接続される。ＵＳＢコネクタ２２の加入者カードデータ信号ピン２２６は、加入者カードデータ信号を送信するために、予め設置された加入者カードデータ信号ピン２１３に接続される。本発明のこの実施例において、ＵＳＢ信号ピン２２３および加入者カードデータ信号ピン２２６は、第１の回路基板２１１の露出された信号線を使用することによって第１の回路基板２１１上の電子素子に接続され得るか、または第１の回路基板２１１の内部の線を使用することによって第１の回路基板２１１上の電子素子に接続され得るか、または直接に第１の回路基板２１１上の電子素子に接続され得る。本発明においてこれは限定されない。
【００２４】
図５を参照すると、任意選択で、加入者カード搭載部２２５は溝である。溝は基板２２１の底部２２４から内側に形成された凹形である。加入者カード３００が溝に搭載されるとき、加入者カード３００のデータ信号ピンは、溝内の加入者カードデータ信号ピン２２６に電子的に接続される。
【００２５】
特に、溝の第１の側壁と溝の底壁２２５４の間の角度は、加入者カード３００を溝から入るまたは出るように案内するために、鈍角である。第１の側壁は間隙２３４に対応する。
【００２６】
この実現形態において、加入者カードデータ信号ピン２２６は導電性のばねである。加入者カード３００が加入者カード搭載部２２５内に搭載されるとき、導電性のばねは、加入者カード３００に電子的に接続するために、加入者カード３００のデータ信号ピンに対して圧迫する。導電性のばねは半球形のばねである。もう１つの実現形態において、第１のデータカード信号ピン２２６は、（曲がった導電性のばねのような）他の形の導電性のばねであり得る。
【００２７】
図６および図７を参照すると、本発明の第２の実現形態は無線ネットワーク・アクセス・デバイスを提供する。第２の実現形態によって提供される無線ネットワーク・アクセス・デバイスは、第１の実現形態によって提供される無線ネットワーク・アクセス・デバイス１００と類似し、２つのデバイスの間の違いは、第２の実現形態において、搭載部が加入者カードホルダー２０１であることにある。加入者カードホルダー２０１は、基板２０２を使用することによって第１の回路基板２１１に電子的に接続され、その結果、加入者カード３００は、加入者カードホルダー２０１および基板２２１を使用することによって第１の回路基板２１１に加入者カードデータを送信する。
【００２８】
特に、基板２２１は、回路基板２１１から延びる第２の回路基板である。加入者カードホルダー２０１は、第２の回路基板の底部に固定され、第２の回路基板に電子的に接続される。位置決めブロック２０３は、加入者カードホルダー２０１を位置決めするために、第２の回路基板の底部の上の加入者カードホルダー２０１の両側に配置される。
【００２９】
加入者カードデータ信号ピン２２６は、加入者カード３００上の対応するデータ信号ピンに対応するように、加入者カードホルダー２０１上に配置される。加入者カード３００が加入者カードホルダー２０１上に搭載されるとき、加入者カードデータ信号ピンは加入者カード３００上の対応するデータ信号ピンに接続され、その結果、加入者カード３００は、第２の回路基板を使用することによって第１の回路基板２１１に加入者カードデータ信号を送信する。
【００３０】
任意選択で、本発明の前述の実施例において、ＵＳＢコネクタ２２は第１の筐体２３をさらに含む。第１の筐体２３は、加入者カード３００が加入者カード搭載部２２５内に搭載されるとき、加入者カード３００の位置決めを助けるために、基板２２１の底部２２４および両側２２１１を覆う。加入者カードデータ信号ピン２２６は溝２２５の底壁２２５４上に配置される。加入者カード３００が溝２２５内に搭載されるとき、加入者カードデータ信号ピン２２６は加入者カード３００の対応するピンに電子的に接続され、その結果、加入者カード３００は第１の回路基板２１１に加入者カードデータ信号を送信する。
【００３１】
特に、第１の筐体２３は、位置決め部２３２、および、位置決め部２３２の両側を上方に曲げて延ばすことによって形成された第１の接続部２３３および第２の接続部２３４を含む。第１の接続部２３３および第２の接続部２３４は基板２２１の両側２２１１に固定される。
【００３２】
図８を参照すると、任意選択で、固定部２３２の第１端には間隙２３４が設けられる。加入者カード３００が加入者カード搭載部２２５内に搭載されるとき、加入者カード３００の一部は間隙２３４に対応する。加入者カード３００は、間隙２３４に対応する加入者カード３００の一部を引き出すことによって、加入者カード搭載部２２５から引き出される。
【００３３】
任意選択で、第１の筐体２３の固定部２３２には駆動部２３６がさらに設けられる。加入者カード３００が加入者カード搭載部２２５内に搭載されるとき、加入者カード３００の一部は駆動部２３６に対応する。駆動部２３６は、加入者カード搭載部２２５から加入者カード３００をはずすために、駆動部２３６に対応する加入者カード３００の一部を駆動する。
【００３４】
ＵＳＢコネクタ２２は第２の筐体２４をさらに含み得る。第２の筐体２４は、他のＵＳＢコネクタの接続部を受け入れて接続し、それによってＵＳＢ信号を送信するために、基板２２１の上部２２２を覆い、基板２２１の上部２２２および第２の筐体２４によって囲まれた収容エリア２５を形成する。第２の筐体２４は、制限部２４１、および、制限部２４１の両側を曲げて延ばすことによって形成された第３の接続部２４２および第４の接続部２４３を含む。第３の接続部２４２の端部は第１の接続部２３３の端部上に配置される。第４の接続部２４３の端部は第２の接続部２３４の端部上に配置される。
【００３５】
図９および図１０を参照すると、任意選択で、ＵＳＢ信号ピン２２３は、第１の回路基板２１１に接続するために、ＵＳＢコネクタ２２の接合部３０の外へ曲げて延ばされて、ＵＳＢ信号溶接ピン２２７を形成する。加入者カードデータ信号ピン２２６は、第１の回路基板２１１に接続するために、ＵＳＢコネクタの接合部の外へ延びて加入者カードデータ信号溶接ピン２２９を形成する。ＵＳＢ信号溶接ピン２２７および加入者カードデータ信号溶接ピン２２９は、ＵＳＢコネクタ２２の厚さを減少させるために、同じ水平面内に配置されることが可能である。ＵＳＢ信号溶接ピン２２７および加入者カードデータ信号溶接ピン２２９は、同じ水平面内に配置されないことが可能である。例えば、ＵＳＢ信号溶接ピン２２７および加入者カードデータ信号溶接ピン２２９は、２つの列内に配置されることが可能であり、それによって、ＵＳＢコネクタ２２の幅を減少させる。すなわち、ＵＳＢ信号溶接ピン２２７および加入者カードデータ信号溶接ピン２２９を配置する形態は、実際の要求条件に従って適合され得る。
【００３６】
もう１つの実現形態において、ＵＳＢコネクタ２２は接続線２２８をさらに含み得る。加入者カードデータ信号ピン２２６は接続線２２８の第１端に接続される。接続線２２８の第２端は、第１の回路基板２１１に接続するために、ＵＳＢコネクタ２２の接合部３０から外へ延びて加入者カードデータ信号溶接ピン２２９を形成する。
【００３７】
本発明のこの実現形態において、任意選択で、無線ネットワーク・アクセス・デバイス１００は無線ＷＡＮカードである。加入者カード３００はＮＡＮＯ  ＳＩＭカードである。ＮＡＮＯ  ＳＩＭカードの長さは１２．３ｍｍ±０．１ｍｍである。ＮＡＮＯ  ＳＩＭカードの幅は８．８ｍｍ±０．１ｍｍである。ＮＡＮＯ  ＳＩＭカードの厚さは約０．６５ｍｍである。ＵＳＢコネクタの長さは１４ｍｍである。ＵＳＢコネクタの幅は１２ｍｍである。ＵＳＢコネクタの厚さは４．５ｍｍである。
【００３８】
前述の実現形態において、無線ネットワーク・アクセス・デバイス１００のＵＳＢコネクタ２２は、基板２２１、ＵＳＢ信号ピン２２３、加入者カード搭載部２２５、および加入者カードデータ信号ピン２２６を含む。ＵＳＢ信号ピン２２３は基板２２１の上部２２２に配置される。ＵＳＢ信号ピン２２３は、ＵＳＢ信号を送信するために、第１の回路基板２１１に電子的に接続される。加入者カード搭載部２２５は、加入者カード３００を搭載するために、基板２２１の底部２２４に配置される。加入者データ信号ピン２２６は加入者カード搭載部２２５上に配置される。加入者カードデータ信号ピン２２６は第１の回路基板２１１に電子的に接続され、その結果、加入者カード３００が加入者カード搭載部２２５内に搭載されるとき、加入者カードデータ信号ピン２２６を使用することによって加入者カード３００と第１の回路基板２１１の間の加入者カードデータ信号の送信が実現される。従って、加入者カードは本体部２１内ではなくＵＳＢコネクタ２２内に搭載され、その結果、本体部２１のスペースが節約され、それによって、無線ネットワーク・アクセス・デバイス１００のサイズを減少させ、無線ネットワーク・アクセス・デバイス１００の小型化の目的を実現し、無線ネットワーク・アクセス１００内で発生した熱によって引き起こされる加入者カード３００への影響を減少させる。
【００３９】
上記で説明されたものは、単に本発明の例示の実施例であり、もちろん本発明の保護範囲を限定することを意図しない。この技術分野の当業者は、前述の実施例を実現する過程の全てまたはいくつか、および、本発明の請求項に従ってなされる等価な変更は本発明の範囲内にあることを理解し得る。
【符号の説明】
【００４０】
２１  本体部
２２  ＵＳＢコネクタ
２３  第１の筐体
２４  第２の筐体
２５  収容エリア
３０  接合部
１００  無線ネットワーク・アクセス・デバイス
２００  通信端末
２０１  加入者カードホルダー
２０３  位置決めブロック
２１１  第１の回路基板
２２１  基板
２２２  上部
２２３  ＵＳＢ信号ピン
２２４  底部
２２５  加入者カード搭載部
２２６  加入者カードデータ信号ピン
２２７  ＵＳＢ信号溶接ピン
２２８  接続線
２３２  位置決め部
２３３  第１の接続部
２３４  第２の接続部
２３６  駆動部
２４１  制限部
２４２  第３の接続部
２４３  第４の接続部
３００  加入者カード
【図１】
2016506057.tif 000003
【図２】
2016506057.tif 000004
【図３】
2016506057.tif 000005
【図４】
2016506057.tif 000006
【図５】
2016506057.tif 000007
【図６】
2016506057.tif 000008
【図７】
2016506057.tif 000009
【図８】
2016506057.tif 000010
【図９】
2016506057.tif 000011
【図１０】
2016506057.tif 000012
【手続補正書】
【提出日】平成27年7月23日(2015.7.23)
【手続補正１】
【補正対象書類名】明細書
【補正対象項目名】００１６
【補正方法】変更
【補正の内容】
【００１６】
無線ネットワーク・アクセス・デバイスが各種の実現形態に従って提供され、ここで、無線ネットワーク・アクセス・デバイスはＵＳＢコネクタおよび本体部を含む。ＵＳＢコネクタは、基板、ＵＳＢ信号ピン、加入者カード搭載部、および加入者カードデータ信号ピンを含み、ここで、ＵＳＢ信号ピンは基板の上部に配置され、ＵＳＢ信号ピンは、ＵＳＢ信号を送信するために、第１の回路基板に電子的に接続され、加入者カード搭載部は、加入者カードを搭載するために、基板の底部に配置され、加入者カードデータ信号ピンは加入者カード搭載部内に配置され、加入者カードデータ信号ピンは第１の回路基板に電子的に接続され、その結果、加入者カードが搭載部内に搭載されるとき、加入者カードデータ信号ピンを使用することによって加入者カードと第１の回路基板の間の加入者カードデータ信号の送信が実現される。従って、加入者カードは本体部内ではなくＵＳＢコネクタ内に搭載され、その結果、本体部のスペースが節約され、それによって、無線ネットワーク・アクセス・デバイスのサイズを減少させ、無線ネットワーク・アクセス・デバイスの小型化の目的を実現し、無線ネットワーク・アクセス・デバイス内で発生した熱によって引き起こされる加入者カードへの影響を減少させる。
【手続補正２】
【補正対象書類名】明細書
【補正対象項目名】００２０
【補正方法】変更
【補正の内容】
【００２０】
図１および図２を参照すると、本発明の第１の実施例は無線ネットワーク・アクセス・デバイス１００を提供する。無線ネットワーク・アクセス・デバイス１００は、通信端末２００と通信するために、通信端末２００に接続するように構成される。本発明は、ＵＳＢコネクタが搭載され、加入者カードを読み取ることが可能なあらゆる電子デバイスに適用可能であることに注意すべきである。本発明は、説明のために、特定の電子デバイス、つまり、無線ネットワーク・アクセス・デバイスを使用するが、これは、無線ネットワーク・アクセス・デバイス以外の電子デバイスへの本発明の適用に何も限定を与えない。
【手続補正３】
【補正対象書類名】明細書
【補正対象項目名】００２１
【補正方法】変更
【補正の内容】
【００２１】
無線ネットワーク・アクセス・デバイス１００は本体部２１およびＵＳＢ（universal serial bus, ユニバーサル・シリアル・バス）コネクタ２２を含む。第１の回路基板２１１は本体部内に配置される。ＵＳＢコネクタ２２は無線ネットワーク・アクセス・デバイス１００の本体部２１の第１の回路基板２１１に接続するように構成される。ＵＳＢコネクタ２２は本体部２１の端部に配置される。ＵＳＢコネクタ２２は、第１の回路基板２１１に信号を送信するために、第１の回路基板２１１に接続される。もう１つの実施例において、ＵＳＢコネクタ２２は、第１の回路基板に信号を送信するために、他の電子デバイスの本体部の第１の回路基板に接続するようにさらに構成され得る。
【手続補正４】
【補正対象書類名】明細書
【補正対象項目名】００２２
【補正方法】変更
【補正の内容】
【００２２】
図３および図４を参照すると、ＵＳＢコネクタ２２は、基板２２１、ＵＳＢ信号ピン２２３、加入者カード搭載部２２５、および加入者カードデータ信号ピン２２６を含む。ＵＳＢ信号ピン２２３は基板２２１の上部２２２に配置される。ＵＳＢ信号ピン２２３は、ＵＳＢ信号を送信するために、第１の回路基板２１１に電子的に接続される。加入者カード搭載部２２５は、加入者カード３００を搭載するために、基板２２１の底部２２４に配置される。上部および底部は互いに反対側に配置される。加入者カードデータ信号ピン２２６は加入者カード搭載部２２５内に配置される。加入者カードデータ信号ピン２２６は第１の回路基板２１１に電子的に接続され、その結果、加入者カード３００が加入者カード搭載部２２５内に搭載されるとき、加入者カードデータ信号ピン２２６を使用することによって加入者カード３００と第１の回路基板２１１の間の加入者カードデータ信号の送信が実現される。この実施例において、基板２２１はプラスチック本体である。任意選択で、基板２２１は、また、第１の回路基板２１１から延びる回路基板であり得る。
【手続補正５】
【補正対象書類名】明細書
【補正対象項目名】００２６
【補正方法】変更
【補正の内容】
【００２６】
この実施例において、加入者カードデータ信号ピン２２６は導電性のばねである。加入者カード３００が加入者カード搭載部２２５内に搭載されるとき、導電性のばねは、加入者カード３００に電子的に接続するために、加入者カード３００のデータ信号ピンに対して圧迫する。導電性のばねは半球形のばねである。もう１つの実施例において、加入者カードデータ信号ピン２２６は、（曲がった導電性のばねのような）他の形の導電性のばねであり得る。
【手続補正６】
【補正対象書類名】明細書
【補正対象項目名】００２７
【補正方法】変更
【補正の内容】
【００２７】
図６および図７を参照すると、本発明の第２の実施例は無線ネットワーク・アクセス・デバイスを提供する。第２の実施例によって提供される無線ネットワーク・アクセス・デバイスは、第１の実施例によって提供される無線ネットワーク・アクセス・デバイス１００と類似し、２つのデバイスの間の違いは、第２の実施例において、搭載部が加入者カードホルダー２０１であることにある。加入者カードホルダー２０１は、基板２２１を使用することによって第１の回路基板２１１に電子的に接続され、その結果、加入者カード３００は、加入者カードホルダー２０１および基板２２１を使用することによって第１の回路基板２１１に加入者カードデータを送信する。
【手続補正７】
【補正対象書類名】明細書
【補正対象項目名】００２９
【補正方法】変更
【補正の内容】
【００２９】
加入者カードデータ信号ピン２２６は、加入者カード３００上の対応するデータ信号ピンに対応するように、加入者カードホルダー２０１上に配置される。加入者カード３００が加入者カードホルダー２０１上に搭載されるとき、加入者カードデータ信号ピン２２６は加入者カード３００上の対応するデータ信号ピンに接続され、その結果、加入者カード３００は、第２の回路基板を使用することによって第１の回路基板２１１に加入者カードデータ信号を送信する。
【手続補正８】
【補正対象書類名】明細書
【補正対象項目名】００３２
【補正方法】変更
【補正の内容】
【００３２】
図８を参照すると、任意選択で、位置決め部２３２の第１端には間隙２３４が設けられる。加入者カード３００が加入者カード搭載部２２５内に搭載されるとき、加入者カード３００の一部は間隙２３４に対応する。加入者カード３００は、間隙２３４に対応する加入者カード３００の一部を引き出すことによって、加入者カード搭載部２２５から引き出される。
【手続補正９】
【補正対象書類名】明細書
【補正対象項目名】００３３
【補正方法】変更
【補正の内容】
【００３３】
任意選択で、第１の筐体２３の位置決め部２３２には駆動部２３６がさらに設けられる。加入者カード３００が加入者カード搭載部２２５内に搭載されるとき、加入者カード３００の一部は駆動部２３６に対応する。駆動部２３６は、加入者カード搭載部２２５から加入者カード３００をはずすために、駆動部２３６に対応する加入者カード３００の一部を駆動する。
【手続補正１０】
【補正対象書類名】明細書
【補正対象項目名】００３４
【補正方法】変更
【補正の内容】
【００３４】
ＵＳＢコネクタ２２は第２の筐体２４をさらに含み得る。第２の筐体２４は、他のＵＳＢコネクタの接続部を収容して接続し、それによってＵＳＢ信号を送信するために、基板２２１の上部２２２を覆い、基板２２１の上部２２２および第２の筐体２４によって囲まれた収容エリア２５を形成する。第２の筐体２４は、制限部２４１、および、制限部２４１の両側を曲げて延ばすことによって形成された第３の接続部２４２および第４の接続部２４３を含む。第３の接続部２４２の端部は第１の接続部２３３の端部上に配置される。第４の接続部２４３の端部は第２の接続部２３４の端部上に配置される。
【手続補正１１】
【補正対象書類名】明細書
【補正対象項目名】００３６
【補正方法】変更
【補正の内容】
【００３６】
もう１つの実施例において、ＵＳＢコネクタ２２は接続線２２８をさらに含み得る。加入者カードデータ信号ピン２２６は接続線２２８の第１端に接続される。接続線２２８の第２端は、第１の回路基板２１１に接続するために、ＵＳＢコネクタ２２の接合部３０から外へ延びて加入者カードデータ信号溶接ピン２２９を形成する。
【手続補正１２】
【補正対象書類名】明細書
【補正対象項目名】００３７
【補正方法】変更
【補正の内容】
【００３７】
本発明のこの実施例において、任意選択で、無線ネットワーク・アクセス・デバイス１００は無線ＷＡＮカードである。加入者カード３００はＮＡＮＯ  ＳＩＭカードである。ＮＡＮＯ  ＳＩＭカードの長さは１２．３ｍｍ±０．１ｍｍである。ＮＡＮＯ  ＳＩＭカードの幅は８．８ｍｍ±０．１ｍｍである。ＮＡＮＯ  ＳＩＭカードの厚さは約０．６５ｍｍである。ＵＳＢコネクタの長さは１４ｍｍである。ＵＳＢコネクタの幅は１２ｍｍである。ＵＳＢコネクタの厚さは４．５ｍｍである。
【手続補正１３】
【補正対象書類名】明細書
【補正対象項目名】００３８
【補正方法】変更
【補正の内容】
【００３８】
前述の実施例において、無線ネットワーク・アクセス・デバイス１００のＵＳＢコネクタ２２は、基板２２１、ＵＳＢ信号ピン２２３、加入者カード搭載部２２５、および加入者カードデータ信号ピン２２６を含む。ＵＳＢ信号ピン２２３は基板２２１の上部２２２に配置される。ＵＳＢ信号ピン２２３は、ＵＳＢ信号を送信するために、第１の回路基板２１１に電子的に接続される。加入者カード搭載部２２５は、加入者カード３００を搭載するために、基板２２１の底部２２４に配置される。加入者カードデータ信号ピン２２６は加入者カード搭載部２２５上に配置される。加入者カードデータ信号ピン２２６は第１の回路基板２１１に電子的に接続され、その結果、加入者カード３００が加入者カード搭載部２２５内に搭載されるとき、加入者カードデータ信号ピン２２６を使用することによって加入者カード３００と第１の回路基板２１１の間の加入者カードデータ信号の送信が実現される。従って、加入者カードは本体部２１内ではなくＵＳＢコネクタ２２内に搭載され、その結果、本体部２１のスペースが節約され、それによって、無線ネットワーク・アクセス・デバイス１００のサイズを減少させ、無線ネットワーク・アクセス・デバイス１００の小型化の目的を実現し、無線ネットワーク・アクセス・デバイス１００内で発生した熱によって引き起こされる加入者カード３００への影響を減少させる。
【手続補正１４】
【補正対象書類名】図面
【補正対象項目名】図４
【補正方法】変更
【補正の内容】
【図４】
2016506057.tif 000013
【国際調査報告】
2016506057.tif 000014
2016506057.tif 000015
2016506057.tif 000016
2016506057.tif 000017